(57)【特許請求の範囲】
【請求項１】
長手方向に配置された軸部を中心に回動可能に枢着されたハンドルカバーを有する筺体を備え、
前記ハンドルカバーの前面に、照明の点灯又は消灯に関する制御信号を出力するための操作部位が配置され、
前記ハンドルカバーの後面に、前記ハンドルカバーの閉状態を固定するための係止部が配置され、
前記ハンドルカバーの後面に対向する前記筺体の前面に、前記照明の消灯の設定時刻を設定するための設定操作部と、前記設定操作部により設定された内容を表示する表示部と、前記係止部と係合することにより前記ハンドルカバーの閉状態を固定するための被係止部とが配置され、
前記設定操作部により設定された前記照明の消灯に関する設定プログラムを記憶する記憶部と、
前記操作部位の押下に応じて、又は、現在時刻を計時する時計機能を含み当該計時された現在時刻が前記記憶部に記憶された前記設定プログラムの前記設定時刻になると当該設定プログラムに応じて、前記照明の消灯に関する制御信号を出力する端末制御部と、を備え、
前記端末制御部は、
所定の期間において、前記設定プログラムにより指定された複数の照明に対して一定時間ごとに設けられた繰り返し消灯時刻の前に、前記複数の照明のうち一部の照明における所定の予告消灯時間にわたる予告消灯を繰り返す、
ことを特徴とする照明制御端末。
【請求項２】
請求項１に記載の照明制御端末であって、
前記設定プログラムにおける前記所定の期間の範囲は、前記設定操作部により変更可能である
ことを特徴とする照明制御端末。
【請求項３】
請求項１又は２に記載の照明制御端末であって、
前記設定プログラムにおける前記一定時間は、前記設定操作部により短縮するように変更可能である
ことを特徴とする照明制御端末。
【請求項４】
請求項３に記載の照明制御端末であって、
前記端末制御部は、
前記一定時間の短縮に応じて、前記予告消灯する時刻を変更する
ことを特徴とする照明制御端末。
【請求項５】
請求項１〜４のうちいずれか一項に記載の照明制御端末であって、
前記筺体前面に、前記設定プログラムを外部端末から受信する通信部が更に配置され、
前記端末制御部は、前記通信部により受信された前記設定プログラムを前記記憶部に記憶する
ことを特徴とする照明制御端末。
【請求項６】
長手方向に配置された軸部を中心に回動可能に枢着されたハンドルカバーを有する筺体を備え、
前記ハンドルカバーの前面に、照明の点灯又は消灯に関する制御信号を出力するための操作部位が配置され、
前記ハンドルカバーの後面に、前記ハンドルカバーの閉状態を固定するための係止部が配置され、
前記ハンドルカバーの後面に対向する前記筺体の前面に、前記照明の消灯の設定時刻を設定するための設定操作部と、前記設定操作部により設定された内容を表示する表示部と、前記係止部と係合することにより前記ハンドルカバーの閉状態を固定するための被係止部とが配置され、
前記設定操作部により設定された前記照明の消灯に関する設定プログラムを記憶する記憶部と、
前記操作部位の押下に応じて、又は、現在時刻を計時する時計機能を含み当該計時された現在時刻が前記記憶部に記憶された前記設定プログラムの前記設定時刻になると当該設定プログラムに応じて、前記照明の消灯に関する制御信号を出力する端末制御部とを備える照明制御端末と、
前記照明制御端末により出力された制御信号に基づき、前記照明の消灯を制御する動作制御部と、を備え、
前記照明制御端末の前記端末制御部は、
所定の期間において、前記設定プログラムにより指定された複数の照明に対して一定時間ごとに設けられた繰り返し消灯時刻の前に、前記複数の照明のうち一部の照明における所定の予告消灯時間にわたる予告消灯を繰り返す、
ことを特徴とする照明制御システム。
【発明の詳細な説明】
【技術分野】
【０００１】
本発明は、照明の点灯又は消灯を制御するための制御信号を出力する照明制御端末、及び当該照明制御端末を含む照明制御システムに関する。
【背景技術】
【０００２】
オフィス、工場又は店舗等に設置されている照明負荷（以下、単に「照明」と略記する）の点灯及び消灯を制御するための従来の照明制御システム１００ｚについて図１６を参照して説明する。図１６は、従来の照明制御システム１００ｚの構成を示す説明図である。照明制御システム１００ｚは、照明１ｚ〜４ｚと、動作制御部１３ｚと、照明スイッチとしての照明制御端末１４ｚと、商用の交流電源ＡＣ４とにより構成されている。
【０００３】
各々の照明１ｚ〜４ｚは、動作制御部１３ｚ内に当該各々の照明１ｚ〜４ｚと１対１に対応するように予め設けられた各々のリレーの各接点の開状態又は閉状態に応じて点灯又は消灯する。例えば、照明１ｚに応じて設けられた動作制御部１３ｚ内のリレーの接点が閉じている場合には照明１ｚは点灯し、照明３ｚに応じて設けられた動作制御部１３ｚ内のリレーの接点が開いている場合には照明３ｚは消灯する。
【０００４】
動作制御部１３ｚは、商用の交流電源ＡＣ４により供給された電力を駆動源として動作し、照明制御端末１４ｚにより出力された制御信号に応じて各々の照明１ｚ〜４ｚの点灯又は消灯を制御する。照明制御端末１４ｚは、各々の照明１ｚ〜４ｚの点灯又は消灯を制御するための制御信号を動作制御部１３ｚに出力する。また、図１６において、各々の照明１ｚ〜４ｚと動作制御部１３ｚとの間、及び、商用の交流電源ＡＣ４と動作制御部１３ｚとの間は、それぞれ電力線により電気的に接続されている。更に、動作制御部１３ｚと照明制御端末１４ｚとは、信号線Ｓにより電気的に接続されている。ここで、図１７に示す当該照明制御端末１４ｚの操作部位である操作パネルＳＷｙ又は操作パネルＳＷｚの押下に応じて点灯又は消灯する照明１ｚ〜４ｚの種別は動作制御部１３において予め設定されているものとする。
【０００５】
前述したように、照明制御端末１４ｚは、図１７に示す操作パネルＳＷｙ又は操作パネルＳＷｚの押下に応じて、該当する照明１ｚ〜４ｚの点灯又は消灯を制御するための制御信号を動作制御部１３ｚに出力する。なお、この制御信号には、押下された操作パネルＳＷｙ又は操作パネルＳＷｚの種別が含まれている。具体的には、操作パネルＳＷｙが押下された場合の制御信号には、当該操作パネルＳＷｙの種別が含まれている。同様に、操作パネルＳＷｚが押下された場合の制御信号には、操作パネルＳＷｚの種別が含まれている。このように、操作パネルＳＷｙ又は操作パネルＳＷｚが押下された制御信号に当該押下された操作パネルの種別が含まれているため、動作制御部１３ｚは、当該制御信号に含まれる操作パネルの種別に対応する照明１ｚ〜４ｚの点灯又は消灯を制御することができる。
【０００６】
ここで、照明制御端末１４ｚの外観の詳細について図１７を参照して説明する。図１７は、従来の照明制御端末１４ｚの外観を示す説明図である。また、図１７の説明において、紙面の上下左右方向を照明制御端末１４ｚの上下左右方向と定義し、更に、紙面に対する手前側の垂直方向を前面方向、反対に紙面に対する奥側の垂直方向を後面方向とそれぞれ定義する。
【０００７】
照明制御端末１４ｚは、オフィス、工場又は店舗等の壁面に対して目視可能な状態で配置されている。図１７に示す照明制御端末１４ｚは、前面方向に配置された左側筺体１４ｚｌと右側筺体１４ｚｒとの一体構成された筺体Ｋｚからなる。照明制御端末１４ｚの左側筺体１４ｚｌには、操作パネルＳＷｙ及びＬＥＤランプ２３ｚの組合せと、操作パネルＳＷｚ及びＬＥＤランプ２４ｚの組合せとがそれぞれ配置されている。照明制御端末１４ｚの右側筺体１４ｚｒには、例えばＬＣＤ（Liquid Crystal Display）により構成される表示部１７ｚと複数の各種ボタン２６ｚ〜３０ｚとがそれぞれ設けられている。
【０００８】
前述したように、操作パネルＳＷｙ又は操作パネルＳＷｚが押下されたとき、照明制御端末１４ｚは各々の照明１ｚ〜４ｚの点灯又は消灯を制御するための制御信号を動作制御部１３ｚに出力する。照明制御端末１４ｚの左側筺体１４ｚｌのＬＥＤランプ２３ｚは、操作パネルＳＷｙの押下に対して点灯又は消灯するように、動作制御部１３ｚ内にて予め対応付けされている照明１ｚ及び２ｚの点灯状態又は消灯状態を色で識別可能に発光して報知する。照明制御端末１４ｚの左側筺体１４ｚｌのＬＥＤランプ２４ｚは、操作パネルＳＷｚの押下に対して点灯又は消灯するように、動作制御部１３ｚ内にて予め対応付けされている照明３ｚ及び照明４ｚの点灯状態又は消灯状態を色で識別可能に発光して報知する。例えば、照明１ｚ及び２ｚの点灯状態に対応してＬＥＤランプ２３ｚは赤色に発光し、照明３ｚ及び４ｚの消灯状態に対応してＬＥＤランプ２４ｚは緑色に発光する。
【０００９】
照明制御端末１４ｚの右側筺体１４ｚｒには、現在時刻等が表示される表示部１７ｚと、操作パネルＳＷｙ又は操作パネルＳＷｚの種別と当該操作パネルＳＷｙ又は操作パネルＳＷｚの押下に対応して点灯又は消灯する各々の照明１ｚ〜４ｚとの関係を設定する複数の各種ボタン２６ｚ〜２８ｚ及び３０ｚとが設けられている。これらのボタン２６ｚ〜２８ｚ及び３０ｚについて説明する。モード選択ボタン２８ｚは、表示部１７ｚの上部に表示されるモード選択領域３１ｚにおける通常モード、タイマモード及び現在時刻モードのうちいずれかを選択するためのボタンである。ここで、各種モードについて説明する。
【００１０】
通常モードとは、照明制御システム１００ｚの動作中であることを示すモードであり、現在時刻を設定するための現在時刻モードと、所定時刻に各々の照明１ｚ〜４ｚのうちいずれかを点灯又は消灯するための設定プログラムを確認するタイマモードとを除く。タイマモードとは、ユーザにより設定された時刻に各々の照明１ｚ〜４ｚのうちいずれかを点灯又は消灯するための設定プログラムを確認可能とするモードである。以下、設定された時刻に照明を点灯又は消灯するために複数の動作パラメータが設定されたプログラムであって、動作制御部１３ｚにより当該点灯又は消灯が実行されるプログラムを「設定プログラム」という。この設定プログラムにおける動作パラメータは、点灯又は消灯するときの所定時刻（以下、「設定時刻」という）と、点灯又は消灯される照明の種別とを含む。この様な動作パラメータを含む設定プログラムは、動作制御部１３ｚ内の記憶部（不図示）に記憶される。なお、動作制御部１３ｚには内部時計Ｃ１（不図示）が設けられ、当該内部時計Ｃ１の示す現在時刻が動作制御部１３ｚに設定された設定プログラムの動作パラメータである設定時刻に一致した場合に、当該設定プログラムの動作パラメータの制御対象として設定された照明が点灯又は消灯する。また、現在時刻モードとは、照明制御端末１４ｚに設けられている内部時計Ｃ２（不図示）の示す現在時刻を設定するモードである。
【００１１】
複数のボタン２６ｚ〜２８ｚ及び３０ｚの説明に戻る。増加ボタン２６ｚと減少ボタン２７ｚとは、タイマモードが選択されている場合には、当該タイマモードで確認可能な設定プログラムのプログラム番号を増加又は減少するためのボタンであり、また、現在時刻モードが選択されている場合には当該変更可能な現在時刻の数字を増加又は減少するためのボタンである。また、設定ボタン３０ｚは、増加ボタン２６又は減少ボタン２７の押下によって選択された設定プログラムを表示するように設定するためのボタンであり、当該増加ボタン２６ｚ又は減少ボタン２７ｚの押下によって選択された現在時刻に設定するためのボタンである。
【００１２】
また、タイマモードにより確認可能とされた設定プログラムを記憶する動作制御部１３ｚを構成する一つの要素に、当該設定プログラムに従って各々の照明１ｚ〜４ｚの点灯又は消灯を制御するためのプログラムタイマが含まれる。このプログラムタイマに関しては、例えば特許文献１に開示されている。特許文献１には、信号線に接続された各々のアドレスを有する複数の端末器と伝送ユニットとの間で時分割多重方式により伝送信号を送受信し、端末器のアドレスの対応関係を用いていずれかの端末器への監視入力であるオンオフ信号に応じて他の端末器に接続した負荷を制御する遠隔監視制御システムにおけるプログラムタイマが開示されている。
【先行技術文献】
【特許文献】
【００１３】
【特許文献１】特開２００１−１７５３０６号公報
【発明の概要】
【発明が解決しようとする課題】
【００１４】
しかしながら、前述した設定プログラムとして照明の消灯を制御する消灯プログラムが実行された場合に、当該設定された消灯プログラムの実行後に、再度第三者により照明が手動点灯されてしまうことがあった。即ち、従来の照明制御端末において利用可能な消灯プログラムでは、当該消灯プログラムの設定時刻において一度照明が消灯されるだけである。このため、再度第三者により照明が手動点灯された場合等の対策として定期的な照明の消灯を徹底するためには、照明の消灯プログラムを数多く作成して当該消灯プログラムの実行を徹底的に図る必要があった。これには、照明制御システムを運用するユーザに、消灯プログラムの作成に相当の時間を費やすことになると共に煩雑な操作を要求することになっていた。また、従来の照明制御端末において利用可能な消灯プログラムでは、照明の消灯の徹底を図ることが難しいために、必要以上の照明の点灯を省くことによる消費電力量の低減を図ることにも支障があった。
【００１５】
本発明は、前述した従来の事情に鑑みてなされたものであって、オフィス、工場又は店舗等における照明の消灯の徹底を図ると共に、膨大な量の消灯プログラムを個々に作成することなく照明の消費電力量を著しく低減する照明制御端末、及び当該照明制御端末を含む照明制御システムを提供することを目的とする。
【課題を解決するための手段】
【００１６】
前述した課題を解決するために、本発明の照明制御端末は、長手方向に配置された軸部を中心に回動可能に枢着されたハンドルカバーを有する筺体を備え、ハンドルカバーの前面に、照明の点灯又は消灯に関する制御信号を出力するための操作部位が配置され、ハンドルカバーの後面に、ハンドルカバーの閉状態を固定するための係止部が配置され、ハンドルカバーの後面に対向する筺体の前面に、照明の消灯の設定時刻を設定するための設定操作部と、設定操作部により設定された内容を表示する表示部と、係止部と係合することによりハンドルカバーの閉状態を固定するための被係止部とが配置され、設定操作部により設定された照明の消灯に関する設定プログラムを記憶する記憶部と、操作部位の押下に応じて、又は、現在時刻を計時する時計機能を含み当該計時された現在時刻が記憶部に記憶された設定プログラムの設定時刻になると当該設定プログラムに応じて、照明の消灯に関する制御信号を出力する端末制御部と、を備え、前記端末制御部は、所定の期間において、前記設定プログラムにより指定された複数の照明に対して一定時間ごとに設けられた繰り返し消灯時刻の前に、前記複数の照明のうち一部の照明における所定の予告消灯時間にわたる予告消灯を繰り返すことを特徴とする。
【００１８】
また、本発明の照明制御端末において、設定プログラムにおける所定の期間の範囲は、設定操作部により変更可能であることを特徴とする。
【００１９】
また、本発明の照明制御端末において、設定プログラムにおける一定期間は、設定操作部により短縮するように変更可能であることを特徴とする。
【００２０】
また、本発明の照明制御端末において、端末制御部は、一定期間の短縮に応じて、予告消灯する時刻を変更することを特徴とする。
【００２１】
また、本発明の照明制御端末において、筺体前面に、設定プログラムを外部端末から受信する通信部が更に配置され、端末制御部は、通信部により受信された設定プログラムを前記記憶部に記憶することを特徴とする。
【００２２】
また、本発明の照明制御システムは、長手方向に配置された軸部を中心に回動可能に枢着されたハンドルカバーを有する筺体を備え、ハンドルカバーの前面に、照明の点灯又は消灯に関する制御信号を出力するための操作部位が配置され、ハンドルカバーの後面に、ハンドルカバーの閉状態を固定するための係止部が配置され、ハンドルカバーの後面に対向する筺体の前面に、照明の消灯の設定時刻を設定するための設定操作部と、設定操作部により設定された内容を表示する表示部と、係止部と係合することによりハンドルカバーの閉状態を固定するための被係止部とが配置され、設定操作部により設定された照明の消灯に関する設定プログラムを記憶する記憶部と、操作部位の押下に応じて、又は、現在時刻を計時する時計機能を含み当該計時された現在時刻が記憶部に記憶された設定プログラムの設定時刻になると当該設定プログラムに応じて、照明の消灯に関する制御信号を出力する端末制御部とを備える照明制御端末と、照明制御端末により出力された制御信号に基づき、照明の消灯を制御する動作制御部と、を備え、照明制御端末の端末制御部は、所定の期間において、設定プログラムにより指定された複数の照明に対して一定時間ごとに設けられた繰り返し消灯時刻の前に、複数の照明のうち一部の照明における所定の予告消灯時間にわたる予告消灯を繰り返すことを特徴とする。
【発明の効果】
【００２３】
本発明によれば、オフィス、工場又は店舗等における照明の消灯の徹底を図ると共に、膨大な量の消灯プログラムを個々に作成することなく照明の消費電力量を著しく低減する照明制御端末、及び当該照明制御端末を含む照明制御システムを提供することができる。
【図面の簡単な説明】
【００２４】
【図１】第１の実施形態の照明制御システムのシステム構成を示すブロック図
【図２】照明の配置、照明及びアドレス、グループ及びアドレス、並びに、操作パネル及びグループの各対応関係を示した説明図、（ａ）照明の配置を示した説明図、（ｂ）照明とアドレスとの対応関係を示す説明図、（ｃ）グループとアドレスとの対応関係を示す説明図、（ｄ）操作パネルとグループとの対応関係を示す説明図
【図３】照明制御端末のハンドルカバーの閉状態の一例を示す外観図
【図４】照明制御端末のハンドルカバーの開状態の一例を示す外観図
【図５】表示部の表示内容を示す説明図
【図６】第１の実施形態の照明制御端末の内部構成を示すブロック図
【図７】設定プログラムである消灯プログラム及び繰り返し消灯プログラムの内容を示す説明図、（ａ）消灯プログラムの内容を示す説明図、（ｂ）繰り返し消灯プログラムの内容を示す説明図
【図８】設定プログラムである消灯プログラム及び繰り返し消灯プログラムの運用例を示す説明図
【図９】第１の実施形態の照明制御端末における設定プログラム（消灯プログラム）の変更の動作の一例を示すフローチャート
【図１０Ａ】設定プログラムである消灯プログラムの変更に関する画面例、（ａ）モード選択ボタンによりタイマモードＡを選択し所望の消灯プログラムを選択する様子を示した画面例、（ｂ）所望の消灯プログラムを設定する様子を示す画面例
【図１０Ｂ】設定プログラムである消灯プログラムの変更に関する画面例、（ａ）所望の制御対象及び操作パネルを選択する様子を示した画面例、（ｂ）所望の制御対象及び操作パネルを設定する様子を示した画面例
【図１０Ｃ】設定プログラムである消灯プログラムの変更に関する画面例、（ａ）所望の消灯時刻を選択する様子を示した画面例、（ｂ）所望の消灯時刻を設定する様子を示した画面例
【図１０Ｄ】設定プログラムである消灯プログラムの変更に関する画面例、（ａ）所望の消灯曜日を選択する様子を示す画面例、（ｂ）所望の消灯曜日を設定する様子を示す画面例
【図１１】第１の実施形態の照明制御端末における設定プログラム（繰り返し消灯プログラム）の変更の動作の一例を示すフローチャート
【図１２Ａ】設定プログラムである繰り返し消灯プログラムの変更に関する画面例、（ａ）モード選択ボタン及び設定ボタンによりタイマモードＢを選択し所望の繰り返し消灯プログラムを選択する様子を示した画面例、（ｂ）繰り返し消灯プログラムにおける所望の消灯時間間隔を選択及び設定する様子を示す画面例
【図１２Ｂ】設定プログラムである繰り返し消灯プログラムの変更に関する画面例、（ａ）繰り返し消灯プログラムにおける所望の消灯開始時刻を選択する様子を示した画面例、（ｂ）繰り返し消灯プログラムにおける所望の消灯開始時刻を設定する様子を示した画面例
【図１２Ｃ】設定プログラムである繰り返し消灯プログラムの変更に関する画面例、（ａ）繰り返し消灯プログラムにおける所望の消灯終了時刻を選択する様子を示した画面例、（ｂ）繰り返し消灯プログラムにおける消灯終了時刻を設定する様子を示した画面例
【図１３】設定プログラムである消灯プログラム及び繰り返し消灯プログラムの他の運用例を示す説明図
【図１４Ａ】繰り返し消灯プログラムの変更に関する画面例、（ａ）モード選択ボタン及び設定ボタンによりタイマモードＢを選択する様子を示した画面例、（ｂ）繰り返し消灯プログラムにおける消灯時間間隔の短縮を選択する様子を示す画面例
【図１４Ｂ】繰り返し消灯プログラムの変更に関する画面例、（ａ）繰り返し消灯プログラムにおける消灯時間間隔の短縮に関するフラグを選択する様子を示した画面例、（ｂ）繰り返し消灯プログラムにおける消灯時間間隔の短縮に関するフラグを有効に設定する様子を示した画面例
【図１５】モード選択ボタンによりユーザモードを選択し所望の消灯プログラムのフラグを変更する様子を示した画面例、（ａ）ユーザモードにおいて所望の消灯プログラムを選択しフラグを選択する様子を示した画面例、（ｂ）選択されたフラグに設定する様子を示した画面例
【図１６】従来の照明制御システムの構成を示す説明図
【図１７】従来の照明制御端末の外観図
【発明を実施するための形態】
【００２５】
以下、本発明の各実施形態について、図面を参照して説明する。また、以下の説明において、図３に示す紙面の上下左右方向を照明制御端末の上下左右方向と定義し、更に、同図の紙面に対する手前側の垂直方向を前面方向、反対に同図の紙面に対する奥側方向を後面方向とそれぞれ定義する。更に、以下の説明において、消灯の制御対象である照明が当該消灯時刻に消灯することを「消灯」（又は「通常消灯」という場合もある）と定義し、当該通常消灯の消灯時刻の前（例えば５分前等）に当該通常消灯する照明のうち一部の照明が予告的に消灯することを「予告消灯」と定義する。
【００２６】
（第１の実施形態）
第１の実施形態の照明スイッチとしての照明制御端末１４を含む照明制御システム１００の構成について図１及び図２を参照して説明する。図１は、第１の実施形態の照明制御端末１４を含む照明制御システム１００のシステム構成を示す説明図である。図２は、照明１〜８の配置、照明１〜８及びアドレス、グループ及びアドレス、並びに、操作パネル及びグループのそれぞれの対応関係を示した説明図である。同図（ａ）は照明１〜８の配置を示した説明図であり、同図（ｂ）は照明１〜８とアドレスとの対応関係を示す説明図であり、同図（ｃ）はグループとアドレスとの対応関係を示す説明図であり、同図（ｄ）は操作パネルとグループとの対応関係を示した説明図である。図１に示す照明制御システム１００は、図２（ａ）に示すように、オフィス、工場又は店舗等に設置されている各々の照明１〜８の点灯又は消灯を制御する。図１に示すように、照明制御システム１００は、制御対象である各々の照明１〜８と、動作制御部１３と、照明制御端末１４と、各々の商用の交流電源ＡＣ１及びＡＣ２とにより構成されている。
【００２７】
（照明制御システム１００の構成）
各々の照明１〜８は、各々の照明１〜８に対して予め１対１に対応するように設けられた動作制御部１３内のリレーＲｙ１〜Ｒｙ８の各接点の開状態又は閉状態に応じて点灯又は消灯する。例えば、照明１に応じて設けられたリレーＲｙ１の接点が閉じている場合には照明１は点灯し、照明５に応じて設けられたリレーＲｙ５の接点が開いている場合には照明５は消灯する。なお、照明１とリレーＲｙ１とは電力線により電気的に接続されている。同様に、照明２とリレーＲｙ２とは電力線により電気的に接続されている。同様に、照明３とリレーＲｙ３とは電力線により電気的に接続されている。同様に、照明４とリレーＲｙ４とは電力線により電気的に接続されている。同様に、照明５とリレーＲｙ５とは電力線により電気的に接続されている。同様に、照明６とリレーＲｙ６とは電力線により電気的に接続されている。同様に、照明７とリレーＲｙ７とは電力線により電気的に接続されている。同様に、照明８とリレーＲｙ８とは電力線により電気的に接続されている。
【００２８】
図２（ｂ）に示すように、図１に示した各々の照明１〜８には、それぞれアドレスが付与されている。各々の照明１〜８と、アドレスとの対応関係について図２（ｂ）を参照して説明する。図２（ｂ）において、照明１には、アドレス１−１が付与されている。同様に、照明２には、アドレス１−２が付与されている。同様に、照明３には、アドレス１−３が付与されている。同様に、照明４には、アドレス１−４が付与されている。同様に、照明５には、アドレス２−１が付与されている。同様に、照明６には、アドレス２−２が付与されている。同様に、照明７には、アドレス２−３が付与されている。同様に、照明８には、アドレス２−４が付与されている。図２（ｂ）に示す各々の照明１〜８とアドレスとの対応関係を示すデータは、動作制御部１３の伝送ユニット９（後述参照）に予め記憶されている。
【００２９】
また、複数の照明１〜８の消灯の運用を徹底的に図るために、それぞれ付与されたアドレスにはグループが設定されている。アドレスとグループとの対応関係について図２（ｃ）を参照して説明する。図２（ｃ）は、アドレスとグループとの対応関係を示した説明図である。図２（ｃ）において、アドレス１−１、アドレス１−２、アドレス１−３及びアドレス１−４はグループＧ１に属すると定義されている。アドレス２−１、アドレス２−２、アドレス２−３及びアドレス２−４はグループＧ２に属すると定義されている。アドレス１−２及びアドレス１−４はグループＧ３に属すると定義されている。アドレス２−２及びアドレス２−４はグループＧ４に属すると定義されている。図２（ｃ）に示すアドレスとグループとの対応関係を示すデータは、動作制御部１３の伝送ユニット９（後述参照）に予め記憶されている。
【００３０】
また、図２（ａ）に示した照明制御端末１４には当該照明制御端末１４の操作部位である操作パネルＳＷａ及び操作パネルＳＷｂが設けられ、照明制御端末１４ａには操作パネルＳＷｃ及び操作パネルＳＷｄがそれぞれ設けられている。これらの各操作パネルＳＷａ，ＳＷｂ，ＳＷｃ，ＳＷｄと当該操作パネルの押下に応じて点灯又は消灯する照明のグループとの関係について図２（ｄ）を参照して説明する。図２（ｄ）は、操作パネルとグループとの対応関係を示した説明図である。図２（ｄ）において、操作パネルＳＷａが押下された場合にはグループＧ１に属する照明（１，２，３，４）が点灯又は消灯される。同様に、操作パネルＳＷｂが押下された場合にはグループＧ３に属する照明（２，４）が点灯又は消灯される。同様に、操作パネルＳＷｃが押下された場合にはグループＧ２に属する照明（５，６，７，８）が点灯又は消灯される。同様に、操作パネルＳＷｄが押下された場合にはグループＧ４に属する照明（６，８）が点灯又は消灯される。
【００３１】
図１において、動作制御部１３は、商用の交流電源ＡＣ１及びＡＣ２によりそれぞれ供給された駆動電力により、照明制御端末１４により出力された制御信号に応じて各々の照明１〜８の点灯又は消灯を制御する。動作制御部１３は、図１に示すように、伝送ユニット９と、Ｔ／Ｕ（Terminal Unit）１０ａ及びＴ／Ｕ１０ｂと、リモコントランス１１と、各々のリレーＲｙ１〜Ｒｙ８とを備える。以下、設定された時刻に照明を点灯又は消灯するために複数の動作パラメータが設定されたプログラムであって、動作制御部１３により当該点灯又は消灯が実行されるプログラムを「設定プログラム」という。
【００３２】
伝送ユニット９は、商用の交流電源ＡＣ１により供給された電力を駆動源として動作し、Ｔ／Ｕ１０ａ又はＴ／Ｕ１０ｂの動作に必要な駆動電力を各Ｔ／Ｕ１０ａ又はＴ／Ｕ１０ｂに対して供給する。照明制御端末１４により出力された制御信号は、伝送ユニット９に入力される。なお、照明制御端末１４により制御信号が出力される場合には、次の２つの場合である。１つは、現在時刻が後述の照明制御端末１４に設定された設定プログラムの設定時刻と一致したときに照明制御端末１４から自動的に出力される場合である。もう１つは、ユーザにより照明制御端末１４の操作パネルＳＷａ又は操作パネルＳＷｂが手動押下された場合に出力される場合である。以下、前述の定義した設定プログラムとは、後述の消灯プログラム（図７（ａ）参照）と繰り返し消灯プログラム（図７（ｂ）参照）との両方を含むものとして説明する。
【００３３】
前者の設定時刻に自動出力される制御信号には、設定プログラムが伝送ユニット９及び照明制御端末１４にそれぞれ予め記憶されている場合には、現在時刻と、当該現在時刻を設定時刻とする設定プログラムのプログラム番号とが含まれる。また、当該前者の場合に照明制御端末１４により出力される制御信号には、設定プログラムが照明制御端末１４のみに予め記憶されている場合には、現在時刻と、当該現在時刻を設定時刻とする設定プログラムの各動作パラメータ（図７参照）とが含まれる。
【００３４】
後者の手動押下に応じて出力される制御信号には、設定プログラムが少なくとも伝送ユニット９及び照明制御端末１４にそれぞれ予め記憶されている場合には、現在時刻と、当該照明制御端末１４の押下された操作パネルＳＷａ又は操作パネルＳＷｂの種別とが含まれている。また、当該後者の場合に照明制御端末１４により出力される制御信号には、設定プログラムが照明制御端末１４のみに予め記憶されている場合には、現在時刻と、当該現在時刻を設定時刻とする設定プログラムの各動作パラメータ（図７参照）と、当該照明制御端末１４の押下された操作パネルＳＷａ又は操作パネルＳＷｂの種別とが含まれる。
【００３５】
伝送ユニット９は、照明制御端末１４により出力された制御信号を取得すると共に、当該取得された制御信号に応じて各々の照明１〜８の点灯又は消灯を制御するための信号をＴ／Ｕ１０ａ又はＴ／Ｕ１０ｂに出力する。なお、伝送ユニット９と商用の交流電源ＡＣ１とは電力線により電気的に接続されている。
【００３６】
Ｔ／Ｕ１０ａ又はＴ／Ｕ１０ｂは、伝送ユニット９により供給された電力、又は、伝送ユニット９により供給された電力及びリモコントランス１１により補助的に供給された電力を駆動源として動作し、伝送ユニット９により出力された信号をそれぞれ入力し、当該信号に応じて各々のリレーＲｙ１〜Ｒｙ８の動作を制御する。図１に示すＴ／Ｕ１０ａは、リレーＲｙ１、Ｒｙ２、Ｒｙ５及びＲｙ６の動作を制御する。また、図１に示すＴ／Ｕ１０ｂは、リレーＲｙ３、Ｒｙ４、Ｒｙ７及びＲｙ８の動作を制御する。なお、伝送ユニット９とＴ／Ｕ１０ａ又はＴ／Ｕ１０ｂとは電力線により電気的に接続されている。Ｔ／Ｕ１０ａとリレーＲｙ１、Ｒｙ２、Ｒｙ５、Ｒｙ６とはそれぞれ電力線により電気的に接続されている。Ｔ／Ｕ１０ｂとリレーＲｙ３、Ｒｙ４、Ｒｙ７、Ｒｙ８とはそれぞれ電力線により電気的に接続されている。Ｔ／Ｕ１０ａ又はＴ／Ｕ１０ｂと、リモコントランス１１とは電力線により電気的に接続されている。
【００３７】
リモコントランス１１は、商用の交流電源ＡＣ２により供給された電力を変圧し、Ｔ／Ｕ１０ａ又はＴ／Ｕ１０ｂの駆動に必要な駆動電力を補助的に供給する。また、リモコントランス１１は、商用の交流電源ＡＣ２により供給された電力を変圧し、各々のリレーＲｙ１〜Ｒｙ８の接点を開閉するために必要な駆動電力を補助的に供給する。また、図１に示すリモコントランス１１と、各々のリレーＲｙ１〜Ｒｙ８とは電力線によりそれぞれ接続されている。なお、リモコントランス１１と商用の交流電源ＡＣ２とは、電力線により電気的に接続されている。
【００３８】
各々のリレーＲｙ１〜Ｒｙ８は、不図示の交流電源から供給された電力、又は不図示の交流電源から供給された電力及びリモコントランス１１により補助的に供給された駆動電力に基づき、各々のリレーＲｙ１〜Ｒｙ８自身の接点を開閉することにより、各々の照明１〜８の点灯又は消灯を制御する。図１においては、リレーＲｙ１は照明１の点灯又は消灯を制御する。同様に、リレーＲｙ２は照明２の点灯又は消灯を制御する。同様に、リレーＲｙ３は照明３の点灯又は消灯を制御する。同様に、リレーＲｙ４は照明４の点灯又は消灯を制御する。同様に、リレーＲｙ５は照明５の点灯又は消灯を制御する。同様に、リレーＲｙ６は照明６の点灯又は消灯を制御する。同様に、リレーＲｙ７は照明７の点灯又は消灯を制御する。同様に、リレーＲｙ８は照明８の点灯又は消灯を制御する。
【００３９】
（照明制御端末１４の構成）
照明制御端末１４は、各々の照明１〜８の点灯又は消灯を制御するための制御信号を動作制御部１３の伝送ユニット９に出力する。ここで、照明制御端末１４の外観の詳細について図３及び図４を参照して説明する。図３は、第１の実施形態の照明制御端末１４のハンドルカバーＨＣ１及びハンドルカバーＨＣ２のそれぞれの閉状態を示す外観図である。図４は、第１の実施形態の照明制御端末１４のハンドルカバーＨＣ１及びハンドルカバーＨＣ２のそれぞれの開状態を示す外観図である。
【００４０】
図３において、照明制御端末１４は、照明スイッチとして、オフィス、工場又は店舗等の壁面に対して目視可能な状態で配設され、厚み方向において非常に薄い略直方体状の筺体Ｋの上に略同一の大きさを有する操作パネルＳＷａを含む第１操作ユニットと、操作パネルＳＷｂを含む第２操作ユニットが設けられている。これらの第１操作ユニット及び第２操作ユニットにより、照明制御端末１４の設定操作部が構成される。
【００４１】
第１操作ユニットは、厚み方向において非常に薄い略直方体状の筺体Ｋと、当該筺体Ｋの前面の長手方向に配置された回動軸Ｊ１と、当該回動軸Ｊ１を中心に回動可能に枢着されたハンドルカバーＨＣ１とを少なくとも備える。図３は、ハンドルカバーＨＣ１がゼロ度回動された状態、即ちハンドルカバーＨＣ１が閉じている状態を示している。図３に示すように、ハンドルカバーＨＣ１の前面には、操作パネルＳＷａとネームプレート面ＮＰａとが配置されている。更に、ハンドルカバーＨＣ１の前面には、切欠部２３ｇが設けられている。ネームプレート面ＮＰａは、例えば操作パネルＳＷａの押下に対応する照明１〜４の使用先部署又は当該照明番号等が記入される欄である。また、切欠部２３ｇは、図４にて後述する筺体Ｋの前面に配置されたＬＥＤランプ２３の点灯状態又は消灯状態がハンドルカバーＨＣ１の閉じている状態においても確認可能に連通して設けられた空孔である。
【００４２】
第２操作ユニットは、厚み方向において非常に薄い略直方体状の筺体Ｋと、当該筺体Ｋの前面の長手方向に配置された回動軸Ｊ２と、当該回動軸Ｊ２を中心に回動可能に枢着されたハンドルカバーＨＣ２とを少なくとも備える。図３は、ハンドルカバーＨＣ２がゼロ度回動された状態、即ちハンドルカバーＨＣ２が閉じている状態を示している。図３に示すように、ハンドルカバーＨＣ２の前面には、操作パネルＳＷｂとネームプレート面ＮＰｂとが配置されている。更に、ハンドルカバーＨＣ２の前面には、切欠部２４ｇと切欠部２５ｇがそれぞれ設けられている。ネームプレート面ＮＰｂは、例えば操作パネルＳＷｂの押下に対応する照明１及び３の使用先部署又は当該照明番号等が記入される欄である。また、切欠部２４ｇは、図４にて後述するＬＥＤランプ２４の点灯状態又は消灯状態がハンドルカバーＨＣ２の閉じている状態においても確認可能に連通して設けられた空孔である。また、切欠部２５ｇは、ハンドルカバーＨＣ２の開いている状態と閉じている状態とに関係なく、図４にて後述する通信部２５を使用可能に連通して設けられた空孔である。
【００４３】
図４に示すように、ハンドルカバーＨＣ１の後面には、前述した切欠部２３ｇと、後述する筺体Ｋの前面に配置された被係止部ＨＫＣ１と係合することによりハンドルカバーＨＣ１を固定状態とするための係止部ＫＣ１とが設けられている。なお、図４は、ハンドルカバーＨＣ１が１８０度回動された状態を示している。図４に示すように、ハンドルカバーＨＣ２の後面には、前述した切欠部２４ｇと、切欠部２５ｇと、後述する筺体Ｋの前面に配置された被係止部ＨＫＣ２と係合することによりハンドルカバーＨＣ２を固定状態とするための係止部ＫＣ２とが設けられている。
【００４４】
図３に示すように、係止部ＫＣ１と被係止部ＨＫＣ１とが係合したことによりハンドルカバーＨＣ１が筺体Ｋに固定された状態をハンドルカバーＨＣ１の閉状態と定義する。同様に、係止部ＫＣ２と被係止部ＨＫＣ２とが係合したことによりハンドルカバーＨＣ２が筺体Ｋに固定された状態をハンドルカバーＨＣ２の閉状態と定義する。また、図４に示すように、係止部ＫＣ１と被係止部ＨＫＣ１との係合が解除された状態をハンドルカバーＨＣ１の開状態と定義する。同様に、係止部ＫＣ２と被係止部ＨＫＣ２との係合が解除された状態をハンドルカバーＨＣ２の開状態と定義する。
【００４５】
図４に示すように、第１操作ユニットの筺体Ｋの前面には表示部１８とＬＥＤランプ２３とが設けられている。
【００４６】
表示部１８の表示内容について図５を参照して説明する。図５は、表示部１８の表示内容を示す説明図である。表示部１８の表示領域は、主に、モード表示領域１８ａと、設定プログラム表示領域１８ｃとにより構成される。
【００４７】
モード表示領域１８ａとは、後述する各種モードの種別と、現在選択されているモードの種別とを示すための領域である。図５のモード表示領域１８ａによれば、現在、モード選択バー１８ｂにより「タイマモード」が選択されていることが示される。ここで、各種モードについて簡単に説明する。各種モードには、「通常モード」と、「タイマモード」と、「現在時刻モード」とがある。「通常モード」とは、通常の照明制御端末１４の動作中であることを示すモードであって、タイマモード及び現在時刻モードを除く。「タイマモード」とは、既に照明制御端末１４に設定して記憶されている１つ以上の設定プログラムの各動作パラメータを変更可能又は確認可能とするモードである。「現在時刻モード」とは、照明制御端末１４の内部に有する内部時計Ｃ３（図６参照）の示す現在時刻を設定するモードである。
【００４８】
設定プログラム表示領域１８ｃとは、モード表示領域１８ａにて選択されたいずれかのモードに応じて、後述する各種ボタン２６〜３０により設定された設定プログラムの内容を示すための領域である。例えば、モード表示領域１８ａにて「通常モード」が選択されている場合には、現在時刻を基準に次に実行される設定プログラムの内容が表示されることが好ましい。更に、この場合には次に実行される設定プログラムの内容に加えて、現在時刻が現在時刻表示領域１８ｅに付随的に表示されることが好ましい。また、モード表示領域１８ａにて「タイマモード」が選択されている場合には、後述する各種ボタン２６〜３０の操作により変更用又は確認用に選択された設定プログラムの内容が表示されることが好ましい。また、モード表示領域１８ａにて「現在時刻モード」が選択されている場合には、設定プログラム表示領域１８ｃの設定時刻表示領域１８ｅに時刻が点滅して表示されることが好ましい。
【００４９】
設定プログラム表示領域１８ｃについて具体的に説明する。設定プログラム表示領域１８ｃは、プログラム番号表示領域１８ｄと、設定時刻表示領域１８ｅと、対象操作パネル表示領域１８ｆと、設定曜日表示領域１８ｇと、フラグ表示領域１８ｉとにより構成される。プログラム番号表示領域１８ｄは、変更用又は確認用に選択された設定プログラム（図７参照）のプログラム番号が表示される表示領域であり、図５ではプログラム番号「４」が表示されている。設定時刻表示領域１８ｅは、変更用又は確認用に選択された設定プログラム（図７参照）の設定時刻が表示される表示領域であり、図５では設定時刻「１９：００」が表示されている。対象操作パネル表示領域１８ｆは、変更用又は確認用に選択された設定プログラム（図７参照）による消灯動作する照明に関連付けられた操作パネルの種別を識別可能に表示する表示領域であり、図５では当該操作パネルの種別が操作パネル「ＳＷａ」であることを示すように表示されている。設定曜日表示領域１８ｇは、変更用又は確認用に選択された設定プログラム（図７参照）の実行される曜日を曜日選択バー１８ｈで識別可能に表示する表示領域であり、図５では当該曜日が「月、火、水、木、金」であることが表示されている。なお、「土、日」は当該設定プログラムが実行される曜日ではないため、曜日選択バー１８ｈが表示されていない。最後に、フラグ表示領域１８ｉは、変更用又は確認用に選択された設定プログラム（図７参照）が実行されるか否かを示すフラグの内容が表示され、図５では当該設定プログラムが無効であって実行されないことが表示されている。なお、当該設定プログラムが実行される場合には、フラグ表示領域１８ｉには「無効」ではなく「有効」が表示される。
【００５０】
図４において、ＬＥＤランプ２３は、第１操作ユニットの操作パネルＳＷａが押下された場合、又は、設定時刻に照明制御端末１４から当該操作パネルＳＷａに対応する照明１〜４の消灯の制御信号が出力された場合に、当該操作パネルＳＷａの点灯状態又は消灯状態を識別可能に発光して報知する。例えば、グループＧ１の照明１〜４の点灯状態に対応してＬＥＤランプ２３は赤色に発光し、グループＧ１の照明１〜４の消灯状態に対応してＬＥＤランプ２３は緑色に発光する。
【００５１】
図４に示すように、第２操作ユニットの筺体Ｋの前面には、増加ボタン２６と、減少ボタン２７と、モード選択ボタン２８と、戻るボタン２９と、設定ボタン３０とが配置されている。これらの各種ボタンについて説明する。モード選択ボタン２８は、当該モード選択ボタン２８の押下に応じてモード選択バー１８ｂの示すモードを変更し、通常モード、タイマモード、及び現在時刻モードのうちいずれかを選択するためのボタンである。戻るボタン２９は、例えばモード選択ボタン２８によりタイマモードが選択されている場合に、当該タイマモードで選択されている設定プログラムの各動作パラメータの設定項目を戻すためのボタンである。例えば、プログラム番号及び設定時刻を設定済みで且つ次に設定曜日を設定する際に、当該設定時刻を設定し直す場合に戻るボタン２９が押下される。増加ボタン２６及び減少ボタン２７は、モード選択ボタン２８により現在時刻モード又はタイマモードが選択されている場合に、いずれかのモードにおける各動作パラメータを増加又は減少するためのボタンである。設定ボタン３０は、選択された各動作パラメータに設定するためのボタンである。
【００５２】
更に、図４に示すように、第２操作ユニットの筺体Ｋの前面には前述した各種ボタン２６〜３０の他に、ＬＥＤランプ２４と通信部２５とが設けられている。
【００５３】
ＬＥＤランプ２４は、第２操作ユニットの操作パネルＳＷｂが押下された場合、又は、設定時刻に照明制御端末１４から当該操作パネルＳＷｂに対応する照明２，４の消灯の制御信号が出力された場合に、当該操作パネルＳＷｂの点灯状態又は消灯状態を識別可能に発光して報知する。例えば、グループＧ３の照明２，４の点灯状態に対応してＬＥＤランプ２４は赤色に発光し、グループＧ３の照明２，４の消灯状態に対応してＬＥＤランプ２４は緑色に発光する。
【００５４】
通信部２５は、外部端末である設定通信器５０（図６参照）から赤外線通信等を介して入力された設定プログラムを受信する。
【００５５】
次に、照明制御端末１４の構成の詳細について図６を参照して説明する。図６は、第１の実施形態の照明制御端末１４の内部構成を示すブロック図である。照明制御端末１４は、端末制御部１５と、内部時計Ｃ３と、メモリ１６と、表示部１８と、スイッチ群１９ａと、入力検出部２０と、ＬＥＤランプ２３と、ＬＥＤランプ２４と、通信部２５とを備える。照明制御端末１４には、動作制御部１３の伝送ユニット９から駆動電力が供給されることにより動作する。
【００５６】
端末制御部１５は、ＭＰＵ（Micro Processing Unit）により構成され、照明制御端末１４内の各部の動作を制御する。なお、端末制御部１５は、クロック回路（不図示）から与えられるクロックをカウントすることにより現在時刻を計時する内部時計Ｃ３を備える。端末制御部１５は、スイッチ群１９ａのうちどのスイッチが選択して押下されたかを示す押下情報をメモリ１６に記憶している。端末制御部１５は、入力検出部２０により出力された押下信号（後述参照）に応じて点灯又は消灯の制御を行うための制御信号を生成し、当該生成された制御信号を動作制御部１３に出力する。
【００５７】
メモリ１６は、ＥＥＰＲＯＭ等のような不揮発性メモリにより構成され、図７に示す各々の照明１〜８の消灯の制御に関する設定プログラムの動作パラメータを記憶する。ここで、設定プログラムの動作パラメータについて図７を参照して説明する。図７は設定プログラムの内容を示した説明図である。前述したように、本発明の第１の実施形態において、設定プログラムは、主に、「消灯プログラム」と「繰り返し消灯プログラム」とに区別され、図７（ａ）は消灯プログラムＰＲａを示し、図７（ｂ）は繰り返し消灯プログラムＰＲｂを示す。
【００５８】
図７（ａ）に示す消灯プログラムＰＲａには、プログラム番号と、制御対象と、予告消灯時刻と、予告消灯時間［分］と、消灯時刻と、制御曜日と、操作パネルと、フラグとを含む。それぞれについて簡単に説明する。プログラム番号とは、消灯プログラムＰＲａのＩＤ（識別番号）を示す。制御対象とは、プログラム番号で識別される消灯プログラムＰＲａにより予告消灯又は通常消灯される制御対象の照明のグループを示す。予告消灯時刻とは、プログラム番号で識別される消灯プログラムＰＲａにより消灯される制御対象の照明の消灯時刻の前に、当該制御対象のうち一部の照明が予告消灯する時刻を示す。予告消灯時間とは、プログラム番号で識別される消灯プログラムＰＲａにより消灯される制御対象の照明の予告消灯時刻から予告消灯が実行される時間の範囲を示す。消灯時刻とは、プログラム番号で識別される消灯プログラムＰＲａにより消灯される制御対象の照明が一括に消灯する時刻を示す。制御曜日とは、プログラム番号で識別される消灯プログラムＰＲａが実行される日を示す。操作パネルとは、プログラム番号で識別される消灯プログラムＰＲａにより消灯される制御対象の照明が手動で点灯可能又は消灯可能な操作パネルの種別を示す。最後に、フラグとは、プログラム番号で識別される消灯プログラムＰＲａが実行されるか否かを示す。例えば、フラグが「有効」である場合には、当該フラグを有する消灯プログラムＰＲａは実行される。また、フラグが「無効」である場合には、当該フラグを有する消灯プログラムＰＲａは実行されない。
【００５９】
図７（ａ）に示す各消灯プログラムＰＲａの内容について説明する。図７（ａ）において、プログラム番号１の消灯プログラムＰＲａは、グループＧ３の照明２，４が月曜日〜金曜日において１１：５５〜１２：００の間に予告消灯することを示し、更に、当該グループＧ３の照明２，４は操作パネルＳＷｂにおいて手動で点灯可能又は消灯可能であることを示している。また、プログラム番号２の消灯プログラムＰＲａは、グループＧ１の照明１〜４が月曜日〜金曜日において１２：００に通常消灯されることを示し、更に、当該グループＧ１の照明１〜４は操作パネルＳＷａにおいて手動で点灯可能又は消灯可能であることを示している。また、プログラム番号３の消灯プログラムＰＲａは、グループＧ３の照明２，４が月曜日〜金曜日において１７：５５〜１８：００の間に予告消灯することを示し、更に、当該グループＧ３の照明２，４は操作パネルＳＷｂにおいて手動で点灯可能又は消灯可能であることを示している。また、プログラム番号４の消灯プログラムＰＲａは、グループＧ１の照明１〜４が月曜日〜金曜日において１８：００に通常消灯されることを示し、更に、当該グループＧ１の照明１〜４は操作パネルＳＷａにおいて手動で点灯可能又は消灯可能であることを示している。また、プログラム番号５の消灯プログラムＰＲａは、グループＧ３の照明２，４が月曜日〜金曜日において１８：５５〜１９：００の間に予告消灯することを示し、更に、当該グループＧ３の照明２，４は操作パネルＳＷｂにおいて手動で点灯可能又は消灯可能であることを示している。また、プログラム番号６の消灯プログラムＰＲａは、グループＧ１の照明１〜４が月曜日〜金曜日において１９：００に通常消灯されることを示し、更に、当該グループＧ１の照明１〜４は操作パネルＳＷａにおいて手動で点灯可能又は消灯可能であることを示している。また、プログラム番号７の消灯プログラムＰＲａは、グループＧ３の照明２，４が月曜日〜金曜日において１９：５５〜２０：００の間に予告消灯することを示し、更に、当該グループＧ３の照明２，４は操作パネルＳＷｂにおいて手動で点灯可能又は消灯可能であることを示している。また、プログラム番号８の消灯プログラムＰＲａは、グループＧ１の照明１〜４が月曜日〜金曜日において２０：００に通常消灯されることを示し、更に、当該グループＧ１の照明１〜４は操作パネルＳＷａにおいて手動で点灯可能又は消灯可能であることを示している。
【００６０】
図７（ｂ）に示す繰り返し消灯プログラムＰＲｂには、プログラム番号と、制御対象と、繰り返し消灯開始時刻と、繰り返し消灯終了時刻と、消灯時間間隔［分］と、制御曜日と、フラグとを含む。それぞれについて簡単に説明する。プログラム番号とは、繰り返し消灯プログラムＰＲｂのＩＤ（識別番号）を示す。制御対象とは、プログラム番号で識別される繰り返し消灯プログラムＰＲｂにより通常消灯される制御対象の照明のグループを示す。繰り返し消灯開始時刻とは、プログラム番号で識別される繰り返し消灯プログラムＰＲｂにより通常消灯される制御対象（グループ）が所定の消灯時間間隔ごとに繰り返して消灯される時間の範囲の開始時刻を示す。繰り返し消灯終了時刻とは、プログラム番号で識別される繰り返し消灯プログラムＰＲｂにより通常消灯される制御対象が所定の消灯時間間隔ごとに繰り返して消灯される時間の範囲の終了時刻を示す。消灯時間間隔とは、プログラム番号で識別される繰り返し消灯プログラムＰＲｂにより通常消灯される制御対象が繰り返して通常消灯される時間間隔を示す。従って、繰り返し消灯開始時刻から繰り返し消灯終了時刻までの間では、消灯時間間隔で定められた時間ごとに繰り返して制御対象の照明が通常消灯される。制御曜日とは、プログラム番号で識別される繰り返し消灯プログラムＰＲｂが実行される日を示す。最後に、フラグとは、プログラム番号で識別される繰り返し消灯プログラムＰＲｂが実行されるか否かを示す。例えば、フラグが「有効」である場合には、当該フラグを有する繰り返し消灯プログラムＰＲｂは実行される。また、フラグが「無効」である場合には、当該フラグを有する繰り返し消灯プログラムＰＲｂは実行されない。
【００６１】
図７（ｂ）に示す各繰り返し消灯プログラムＰＲｂの内容について説明する。図７（ｂ）において、プログラム番号１の繰り返し消灯プログラムＰＲｂは、グループＧ２の照明５〜８が土曜日及び日曜日において１７：００〜０５：００の間に６０分ごとに繰り返して通常消灯することを示しているが、フラグが無効であるためにこのプログラム番号１の繰り返し消灯プログラムＰＲｂは実行されない。プログラム番号２の繰り返し消灯プログラムＰＲｂは、グループＧ１の照明１〜４が月曜日〜金曜日において１８：００〜２３：００の間に６０分ごとに通常消灯することを示している。また、プログラム番号３の消灯プログラムＰＲｂは、グループＧ２の照明５〜８が月曜日〜金曜日において１９：００〜２２：００の間に３０分ごとに繰り返して通常消灯することを示している。
【００６２】
図６において、表示部１８は、例えばＬＣＤ（Liquid Crystal Display）により構成され、図４に示す第１操作ユニットの筺体Ｋの前面に配置されると共に、前述したようにモード選択ボタン２８ａの押下により選択されたモードに応じた内容を表示する。通常モードが選択されている場合には、現在時刻を基準に次に実行される設定プログラムの内容、及び端末制御部１５の内部時計Ｃ３により計時された現在時刻を表示する。また、現在時刻モードが選択されている場合には、現在時刻を設定するために時刻が点滅して表示される。また、タイマモードが選択されている場合には、各種ボタン２６〜３０の押下に応じて選択された設定プログラム（消灯プログラムＰＲａ又は繰り返し消灯プログラムＰＲｂ）が表示される。
【００６３】
スイッチ群１９は、操作パネルＳＷａに対応するスイッチＳＷａ１と、操作パネルＳＷｂに対応するスイッチＳＷｂ１と、スイッチＳＷａｋと、スイッチＳＷｂｋと、増加ボタン２６に対応するスイッチＳＷ２６と、減少ボタン２７ａに対応するスイッチＳＷ２７と、モード選択ボタン２８ａに対応するスイッチＳＷ２８と、戻るボタン２９に対応するスイッチＳＷ２９と、決定ボタン３０に対応するスイッチＳＷ３０とにより構成される。スイッチ群１９ａの各スイッチは、当該スイッチに対応する操作パネル又は当該スイッチに対応するボタンが選択されて押下された場合に、当該押下されたことを示す押下信号を入力検出部２０に出力する。また、スイッチＳＷａｋは、例えば第１操作ユニットの筺体Ｋの前面に配置された被係止部ＨＫＣ１と連接して筺体Ｋの内部に設けられ、係止部ＫＣ１と被係止部ＨＫＣ１との係合によりハンドルカバーＨＣ１の閉状態が確定した場合にのみ当該ハンドルカバーＨＣ１の閉状態を示す押下信号を入力検出部２０に出力する。従って、ハンドルカバーＨＣ１が開状態である場合には、スイッチＳＷａｋは、入力検出部２０に押下信号を出力しない。同様に、スイッチＳＷｂｋは、例えば第２操作ユニットの筺体Ｋの前面に配置された被係止部ＨＫＣ２と連接して筺体Ｋの内部に設けられ、係止部ＫＣ２と被係止部ＨＫＣ２との係合によりハンドルカバーＨＣ２の閉状態が確定した場合にのみ当該ハンドルカバーＨＣ２の閉状態を示す押下信号を入力検出部２０に出力する。従って、ハンドルカバーＨＣ２が開状態である場合には、スイッチＳＷｂｋは、入力検出部２０に押下信号を出力しない。
【００６４】
入力検出部２０は、スイッチ群１９の各スイッチの操作を監視すると共に、スイッチ群１９のうちいずれかのスイッチから出力された押下信号を入力し、当該押下信号を端末制御部１５に出力する。なお、入力検出部２０から端末制御部１５に出力された押下信号には、スイッチ群１９ａのうち押下されたスイッチの種別が少なくとも含まれている。また、入力検出部２０は、スイッチＳＷａｋ又はＳＷｂｋから出力された押下信号に応じて、ハンドルカバーＨＣ１又はハンドルカバーＨＣ２の開状態又は閉状態を検出する。
【００６５】
ＬＥＤランプ２３は、端末制御部１５によりグループＧ１の照明１〜４が点灯する状態であると判断された場合には、端末制御部１５の制御により赤色に発光し、端末制御部１５によりグループＧ１の照明１〜４が消灯する状態であると判断された場合には、端末制御部１５の制御により緑色に発光する。なお、端末制御部１５は、操作パネルＳＷａに対応するスイッチＳＷａ１が押下されずにグループＧ１の照明１〜４が消灯している状態において、入力検出部２０を介して当該スイッチＳＷａ１の押下により出力された押下信号を取得した場合、グループＧ１の照明１〜４が点灯した状態と判断する。同様に、端末制御部１５は、当該スイッチＳＷａ１が押下されてグループＧ１の照明１〜４が点灯している状態において、入力検出部２０を介して当該スイッチＳＷａ１の押下により出力された押下信号を取得した場合、グループＧ１の照明１〜４が消灯する状態と判断する。
【００６６】
ＬＥＤランプ２４は、端末制御部１５によりグループＧ３の照明２，４が点灯する状態であると判断された場合には、端末制御部１５の制御により赤色に発光し、端末制御部１５によりグループＧ３の照明２，４が消灯する状態であると判断された場合には、端末制御部１５の制御により緑色に発光する。なお、端末制御部１５は、操作パネルＳＷｂに対応するスイッチＳＷｂ１が押下されずにグループＧ２の照明５〜８が消灯している状態において、入力検出部２０を介して当該スイッチＳＷｂ１の押下により出力された押下信号を取得した場合、グループＧ２の照明２，４が点灯した状態と判断する。同様に、端末制御部１５は、当該スイッチＳＷｂ１が押下されてグループＧ３の照明２，４が点灯している状態において、入力検出部２０を介して当該スイッチＳＷｂ１の押下により出力された押下信号を取得した場合、グループＧ３の照明２，４が消灯する状態と判断する。
【００６７】
通信部２５は、第２操作ユニットの筺体Ｋの前面に配置され、外部端末である設定通信器５０により赤外線通信等を介して送信された図７に示す設定プログラムの新規登録に関する制御信号を受信する。この設定情報の新規登録に関する制御信号には、設定プログラムの新規登録である旨及び設定通信器５０により入力された設定プログラムの各動作パラメータが含まれる。この動作パラメータには、制御対象を示すグループと、通常消灯又は予告消灯が実行される設定時刻と、制御曜日とが少なくとも含まれる。通信部２５は、設定通信器５０から設定プログラムの新規登録に関する制御信号を受信した場合、端末制御部１５に当該制御信号を受信した旨を通知する。端末制御部１５は、通信部２５が設定通信器５０から設定プログラムの新規登録に関する制御信号を受信した旨の通知を受けた場合に、当該設定プログラムを取得してメモリ１６に当該設定プログラムを記憶する。
【００６８】
（照明制御端末１４の動作：消灯プログラムＰＲａの変更（更新））
次に、タイマモードにおける設定プログラム（消灯プログラムＰＲａ）の変更について図８〜図１０Ａ，図１０Ｂ，図１０Ｃ，図１０Ｄを参照して説明する。図８は、オフィス等での前述した消灯プログラムＰＲａ及び繰り返し消灯プログラムＰＲｂの運用例を示す説明図である。図９は、第１の実施形態の照明制御端末１４におけるタイマモードＡ（後述参照）での設定プログラム（消灯プログラムＰＲａ）の変更を説明するフローチャートである。図１０Ａ，図１０Ｂ，図１０Ｃ，図１０Ｄは、消灯プログラムＰＲａの変更に関する画面例である。より具体的には、図１０Ａ（ａ）は、モード選択ボタン２８によりタイマモードＡを選択して所望の消灯プログラムＰＲａを選択する様子を示した画面例である。図１０Ａ（ｂ）は、所望の消灯プログラムＰＲａを設定する様子を示す画面例である。図１０Ｂ（ａ）は、所望の制御対象及び操作パネルを選択する様子を示した画面例である。図１０Ｂ（ｂ）は、所望の制御対象及び操作パネルを設定する様子を示した画面例である。図１０Ｃ（ａ）は、所望の消灯時刻を選択する様子を示した画面例である。図１０Ｃ（ｂ）は、所望の消灯時刻を設定する様子を示した画面例である。図１０Ｄ（ａ）は、所望の消灯曜日を選択する様子を示す画面例である。図１０Ｄ（ｂ）は、所望の消灯曜日を設定する様子を示す画面例である。
【００６９】
図８に示すように、照明の点灯はユーザ等により手動で行われるものとし、図７（ｂ）のプログラム番号２で識別される繰り返し消灯プログラムＰＲｂが有効であるため、図８の１８：００〜２３：００の間はグループＧ１の照明１〜４は６０分ごとに繰り返して消灯される。以下の図９に示すフローチャートの説明に際して、照明制御端末１４の入力検出部２０は、ハンドルカバーＨＣ１及びハンドルカバーＨＣ２が共に開状態であることを事前に検出しているものとする。
【００７０】
図９において、端末制御部１５は、モード選択ボタン２８の押下に対応してスイッチＳＷ２８により出力された押下信号により、タイマモードＡが選択されたか否かを判定する（Ｓ１１）。このタイマモードＡは、図９に示すフローチャートに従って消灯プログラムＰＲａを変更可能とするためのタイマモードである。第１の実施形態の照明制御端末１４では、モード選択ボタン２８の押下により、消灯プログラムＰＲａを変更可能とするためのタイマモードＡに移行するものとする。モード選択ボタン２８に対応するスイッチＳＷ２８の押下によりタイマモードＡに移行したと判定された場合には（Ｓ１１、ＹＥＳ）、端末制御部１５は、表示部１８の設定プログラム表示領域１８ｃに、例えばプログラム番号１の消灯プログラムＰＲａの動作パラメータを表示する。モード選択ボタン２８の押下は、図１０Ａ（ａ）の指操作１に対応する。更に、端末制御部１５は、当該設定プログラム表示領域１８ｃに表示された動作パラメータのプログラム番号を変更可能状態とする（Ｓ１２）。また、タイマモードＡに移行された場合に設定プログラム表示領域１８ｃに表示される動作パラメータの内容は、前回動作パラメータが変更された消灯プログラムＰＲａの内容であっても良い。この場合には、端末制御部１５が前回変更された消灯プログラムＰＲａのプログラム番号をメモリ１６に記憶し、その後タイマモードＡに移行された場合に端末制御部１５がメモリ１６に記憶された当該プログラム番号に対応した消灯プログラムＰＲａの動作パラメータを表示部１８の設定プログラム表示領域１８ｃに表示する。
【００７１】
端末制御部１５は、増加ボタン２６又は減少ボタン２７の押下に対応してスイッチＳＷ２６又はスイッチＳＷ２７により出力された押下信号によりプログラム番号が選択されて、設定ボタン３０の押下に対応してスイッチＳＷ３０により出力された押下信号により当該プログラム番号に設定されたか否かを判定する（Ｓ１３）。当該プログラム番号に設定されたと判定された場合には（Ｓ１３、ＹＥＳ）、端末制御部１５は、表示部１８の設定プログラム表示領域１８ｃに、当該設定されたプログラム番号の消灯プログラムＰＲａの動作パラメータをそれぞれ表示する。増加ボタン２６又は減少ボタン２７の押下に関して、例えば増加ボタン２６の押下は、図１０Ａ（ａ）の指操作２に対応する。また、設定ボタン３０の押下は、図１０Ａ（ｂ）の指操作３に対応する。更に、端末制御部１５は、当該設定プログラム表示領域１８ｃに表示された動作パラメータの制御対象及び操作パネルを変更可能状態とする（Ｓ１４）。なお、制御対象であるグループと操作パネルとの関係は、図２（ｄ）にて予め動作制御部１３の伝送ユニット９により設定されている。
【００７２】
端末制御部１５は、増加ボタン２６又は減少ボタン２７の押下に対応してスイッチＳＷ２６又はスイッチＳＷ２７により出力された押下信号により制御対象及び操作パネルが選択されて、設定ボタン３０の押下に対応してスイッチＳＷ３０により出力された押下信号により当該選択された制御対象及び操作パネルに設定されたか否かを判定する（Ｓ１５）。制御対象及び操作パネルが選択されたと判定されなかった場合には（Ｓ１５、ＮＯ）、タイマモードＡによる消灯プログラムＰＲａは変更されずに例えばユーザにより閲覧等の目的で確認されたものとして、図９のフローチャートは終了する。ステップＳ１５において制御対象及び操作パネルが選択されたと判定されなかった場合とは、例えば、ユーザがハンドルカバーＨＣ１又は（及び）ハンドルカバーＨＣ２を閉状態にした場合等が該当する。
【００７３】
一方、選択された制御対象及び操作パネルが設定されたと判定された場合には（Ｓ１５、ＹＥＳ）、端末制御部１５は、表示部１８の設定プログラム表示領域１８ｃに、当該設定された制御対象及び操作パネルをそれぞれ表示する。増加ボタン２６又は減少ボタン２７の押下に関して、例えば増加ボタン２６の押下は、図１０Ｂ（ａ）の指操作４に対応する。また、設定ボタン３０の押下は、図１０Ｂ（ｂ）の指操作５に対応する。更に、端末制御部１５は、当該設定プログラム表示領域１８ｃに表示された動作パラメータの設定時刻（消灯時刻）を変更可能状態とする（Ｓ１６）。
【００７４】
端末制御部１５は、増加ボタン２６又は減少ボタン２７の押下に対応してスイッチＳＷ２６又はスイッチＳＷ２７により出力された押下信号により設定時刻が選択されて、設定ボタン３０の押下に対応してスイッチＳＷ３０により出力された押下信号により当該選択された設定時刻が設定されたか否かを判定する（Ｓ１７）。設定時刻が設定されたと判定されなかった場合には（Ｓ１７、ＮＯ）、タイマモードＡによる消灯プログラムＰＲａは変更されずに例えばユーザにより閲覧等の目的で確認されたものとして、図９のフローチャートは終了する。ステップＳ１７において設定時刻が設定されたと判定されなかった場合とは、例えば、ユーザがハンドルカバーＨＣ１又は（及び）ハンドルカバーＨＣ２を閉状態にした場合等が該当する。
【００７５】
一方、選択された設定時刻が設定されたと判定された場合には（Ｓ１７、ＹＥＳ）、端末制御部１５は、表示部１８の設定プログラム表示領域１８ｃに、当該設定された設定時刻を表示する。増加ボタン２６又は減少ボタン２７の押下に関して、例えば増加ボタン２６の押下は、図１０Ｃ（ａ）の指操作６に対応する。また、設定ボタン３０の押下は、図１０Ｃ（ｂ）の指操作７に対応する。更に、端末制御部１５は、当該設定プログラム表示領域１８ｃに表示された動作パラメータの制御曜日（消灯曜日）を変更可能状態とする（Ｓ１８）。
【００７６】
端末制御部１５は、増加ボタン２６又は減少ボタン２７の押下に対応してスイッチＳＷ２６又はスイッチＳＷ２７により出力された押下信号により制御曜日が選択されて、設定ボタン３０の押下に対応してスイッチＳＷ３０により出力された押下信号により当該選択された制御曜日が設定されたか否かを判定する（Ｓ１９）。制御曜日が設定されたと判定されなかった場合には（Ｓ１９、ＮＯ）、タイマモードＡによる消灯プログラムＰＲａは変更されずに例えばユーザにより閲覧等の目的で確認されたものとして、図９のフローチャートは終了する。ステップＳ１９において制御曜日が設定されたと判定されなかった場合とは、例えば、ユーザがハンドルカバーＨＣ１又は（及び）ハンドルカバーＨＣ２を閉状態にした場合等が該当する。
【００７７】
一方、選択された制御曜日が設定されたと判定された場合には（Ｓ１９、ＹＥＳ）、端末制御部１５は、表示部１８の設定プログラム表示領域１８ｃに、当該設定された制御曜日を表示する。増加ボタン２６又は減少ボタン２７の押下に関して、例えば増加ボタン２６の押下は、図１０Ｄ（ａ）の指操作８に対応する。また、設定ボタン３０の押下は、図１０Ｄ（ｂ）の指操作９に対応する。制御曜日が設定された後、端末制御部１５は、当該設定プログラム表示領域１８ｃに表示された動作パラメータの設定が終了したものとして、ステップＳ１３により選択された消灯プログラムＰＲａの各動作パラメータを、ステップＳ１５、ステップＳ１７及びステップＳ１９によりそれぞれ設定された各動作パラメータに変更して消灯プログラムＰＲａを更新し（Ｓ２０）、図９のフローチャートは終了する。
【００７８】
（照明制御端末１４の動作：繰り返し消灯プログラムＰＲｂの変更（更新））
次に、タイマモードにおける設定プログラム（繰り返し消灯プログラムＰＲｂ）の変更について図１１〜図１４Ａ及び図１４Ｂを参照して説明する。図１１は、第１の実施形態の照明制御端末１４における設定プログラム（繰り返し消灯プログラムＰＲｂ）の変更の動作の一例を示すフローチャートである。図１２Ａ，図１２Ｂ，図１２Ｃは、繰り返し消灯プログラムＰＲｂの変更に関する画面例である。より具体的には、図１２Ａ（ａ）は、モード選択ボタン２８及び設定ボタン３０により繰り返し消灯プログラムＰＲｂを変更可能とする様子を示した画面例である。図１２Ａ（ｂ）は、繰り返し消灯プログラムＰＲｂにおける所望の消灯時間間隔を選択及び設定する様子を示す画面例である。図１２Ｂ（ａ）は、繰り返し消灯プログラムＰＲｂにおける所望の消灯開始時刻を選択する様子を示した画面例である。図１２Ｂ（ｂ）は、繰り返し消灯プログラムＰＲｂにおける所望の消灯開始時刻を設定する様子を示した画面例である。図１２Ｃ（ａ）は、繰り返し消灯プログラムＰＲｂにおける所望の消灯終了時刻を選択する様子を示した画面例である。図１２Ｃ（ｂ）は、繰り返し消灯プログラムＰＲｂにおける消灯終了時刻を設定する様子を示した画面例である。また、図１３は、消灯プログラムＰＲａ及び繰り返し消灯プログラムＰＲｂの他の運用例を示す説明図である。更に、図１４Ａ及び図１４Ｂは、繰り返し消灯プログラムＰＲｂの変更に関する画面例である。図１４Ａ（ａ）は、モード選択ボタン２８及び設定ボタン３０により繰り返し消灯プログラムＰＲｂを変更可能とする様子を示した画面例である。図１４Ａ（ｂ）は、繰り返し消灯プログラムＰＲｂにおける消灯時間間隔の短縮を設定する様子を示す画面例である。図１４Ｂ（ａ）は、繰り返し消灯プログラムＰＲｂにおける消灯時間間隔の短縮に関するフラグを選択する様子を示した画面例である。図１４Ｂ（ｂ）は、繰り返し消灯プログラムＰＲｂにおける消灯時間間隔の短縮に関するフラグを有効に設定する様子を示した画面例である。図１１、図１２Ａ〜図１２Ｄ、図１４Ａ及び図１４Ｂの説明においては、ハンドルカバーＨＣ１，ＨＣ２は共に開状態である。また、以下の図１１に示すフローチャートの説明に際して、照明制御端末１４の入力検出部２０は、ハンドルカバーＨＣ１及びハンドルカバーＨＣ２が共に開状態であることを事前に検出しているものとする。
【００７９】
図１１において、端末制御部１５は、モード選択ボタン２８及び設定ボタン３０の同時長押しに対応してスイッチＳＷ２８及びスイッチＳＷ３０により出力された押下信号により、タイマモードＢが選択されたか否かを判定する（Ｓ３１）。このタイマモードＢは、図１１に示すフローチャートに従って繰り返し消灯プログラムＰＲｂを変更可能とするためのタイマモードである。第１の実施形態の照明制御端末１４では、モード選択ボタン２８及び設定ボタン３０の同時長押しにより、繰り返し消灯プログラムＰＲｂを変更可能とするためのタイマモードＢに移行するものとする。モード選択ボタン２８及び設定ボタン３０に対応するスイッチＳＷ２８及びスイッチＳＷ３０のそれぞれの同時長押しにより当該タイマモードＢに移行したと判定された場合には（Ｓ３１、ＹＥＳ）、端末制御部１５は、表示部１８の設定プログラム表示領域１８ｃに、例えばプログラム番号２の繰り返し消灯プログラムＰＲｂの動作パラメータを表示する。モード選択ボタン２８及び設定ボタン３０の同時長押しは、図１２Ａ（ａ）又は図１４Ａ（ａ）の指操作１に対応する。更に、端末制御部１５は、当該設定プログラム表示領域１８ｃに表示された動作パラメータのプログラム番号を変更可能状態とする（Ｓ３２）。また、タイマモードＢに移行された場合に設定プログラム表示領域１８ｃに表示される動作パラメータの内容は、前回動作パラメータが変更された繰り返し消灯プログラムＰＲｂの内容であっても良い。この場合には、端末制御部１５が前回変更された繰り返し消灯プログラムＰＲｂのプログラム番号をメモリ１６に記憶し、その後タイマモードＢに移行された場合に端末制御部１５がメモリ１６に記憶された当該プログラム番号に対応した繰り返し消灯プログラムＰＲｂの動作パラメータを表示部１８の設定プログラム表示領域１８ｃに表示する。
【００８０】
端末制御部１５は、増加ボタン２６又は減少ボタン２７の押下に対応してスイッチＳＷ２６又はスイッチＳＷ２７により出力された押下信号によりプログラム番号が選択されて、設定ボタン３０の押下に対応してスイッチＳＷ３０により出力された押下信号により当該プログラム番号に設定されたか否かを判定する（Ｓ３３）。当該プログラム番号に設定されたと判定された場合には（Ｓ３３、ＹＥＳ）、端末制御部１５は、増加ボタン２６又は減少ボタン２７の押下に対応してスイッチＳＷ２６又はスイッチＳＷ２７により出力された押下信号により、当該設定されたプログラム番号で識別される繰り返し消灯プログラムＰＲｂの動作パラメータのうち、繰り返し消灯時間間隔、繰り返し消灯開始時刻及び繰り返し消灯時間短縮のうちいずれかが選択されて、設定ボタン３０の押下に対応してスイッチＳＷ３０により出力された押下信号により当該選択された動作パラメータが設定されるか否かを判定する（Ｓ３４）。増加ボタン２６及び減少ボタン２７の押下に関して、例えば増加ボタン２６の押下は図１２Ａ（ｂ）又は図１４Ａ（ｂ）の指操作２に対応する。また、設定ボタン３０の押下は、図１２Ａ（ｂ）又は図１４Ａ（ｂ）の指操作３に対応する。
【００８１】
ステップＳ３４において繰り返し消灯時間間隔が設定されると判定された場合には（Ｓ３４、ＹＥＳ：繰り返し消灯時間間隔）、端末制御部１５は、当該繰り返し消灯時間間隔を変更可能状態とする（Ｓ３５）。端末制御部１５は、増加ボタン２６又は減少ボタン２７の押下に対応してスイッチＳＷ２６又はスイッチＳＷ２７により出力された押下信号により繰り返し消灯時間間隔が例えば６０分から４５分に選択されて、設定ボタン３０の押下に対応してスイッチＳＷ３０により出力された押下信号により当該選択された繰り返し消灯時間間隔（例えば４５分）が設定されたか否かを判定する（Ｓ３６）。繰り返し消灯時間間隔が設定されたと判定されなかった場合には（Ｓ３６、ＮＯ）、タイマモードＢによる繰り返し消灯プログラムＰＲｂは変更されずに例えばユーザにより閲覧等の目的で確認されたものとして、図１１のフローチャートは終了する。ステップＳ３６において繰り返し消灯時間間隔が設定されたと判定されなかった場合とは、例えば、ユーザがハンドルカバーＨＣ１又は（及び）ハンドルカバーＨＣ２を閉状態にした場合等が該当する。
【００８２】
当該繰り返し消灯時間間隔が選択されたと判定された場合には（Ｓ３６、ＹＥＳ）、端末制御部１５は、ステップＳ３３にて選択されたプログラム番号で識別される繰り返し消灯プログラムＰＲｂの制御対象、繰り返し消灯開始時刻から繰り返し消灯終了時刻まで、制御日及びフラグの動作パラメータにて実行される消灯プログラムＰＲａの予告消灯時刻を、ステップＳ３６にて選択された消灯時間間隔に整合するように一括して変更する（Ｓ３７）。例えば、図７（ｂ）に示す繰り返し消灯プログラムＰＲｂのプログラム番号２の消灯時間間隔が「６０」分から「４５」分に変更された場合、端末制御部１５は、当該プログラム番号２の繰り返し消灯プログラムＰＲｂの制御対象（Ｇ１）、繰り返し消灯開始時刻（１８：００）、繰り返し消灯終了時刻（１９：００）、制御日（月火水木金）及びフラグ（有効）の動作パラメータにて実行される消灯プログラムＰＲａ（例えばプログラム番号４，５とする）の予告消灯時刻である「１８：５５」及び「１９：５５」を、変更された「４５」分ごとの消灯時間間隔に整合するように当該変更後の繰り返し消灯プログラムＰＲｂの繰り返し消灯終了時刻である「１８：４５」及び「１９：３０」の５分前に予告消灯する時刻である「１８：４０」及び「１９：２５」にそれぞれ変更する。端末制御部１５は、ステップＳ３７により変更された設定プログラム（繰り返し消灯プログラムＰＲｂ、消灯プログラムＰＲａ）に更新し（Ｓ４５）、図１１のフローチャートは終了する。
【００８３】
ステップＳ３４において繰り返し消灯開始時刻が設定されると判定された場合には（Ｓ３４、ＹＥＳ：繰り返し消灯開始時刻）、端末制御部１５は、当該繰り返し消灯開始時刻を変更可能状態とする（Ｓ３８）。端末制御部１５は、増加ボタン２６又は減少ボタン２７の押下に対応してスイッチＳＷ２６又はスイッチＳＷ２７により出力された押下信号により繰り返し消灯開始時刻が例えば「１８：００」から「１９：００」に選択されて、設定ボタン３０の押下に対応してスイッチＳＷ３０により出力された押下信号により当該選択された繰り返し消灯開始時刻（例えば１９：００）に設定されたか否かを判定する（Ｓ３９）。当該繰り返し消灯開始時刻が選択されたと判定された場合には（Ｓ３９、ＹＥＳ）、端末制御部１５は、表示部１８の設定プログラム表示領域１８ｃに、当該設定された繰り返し消灯開始時刻を表示する。増加ボタン２６又は減少ボタン２７の押下に関して、例えば増加ボタン２６の押下は、図１２Ｂ（ａ）の指操作４に対応する。また、設定ボタン３０の押下は、図１２Ｂ（ｂ）の指操作５に対応する。更に、端末制御部１５は、当該設定プログラム表示領域１８ｃに表示された動作パラメータの繰り返し消灯終了時刻を変更可能状態とする（Ｓ４０）。
【００８４】
端末制御部１５は、増加ボタン２６又は減少ボタン２７の押下に対応してスイッチＳＷ２６又はスイッチＳＷ２７により出力された押下信号により繰り返し消灯終了時刻が選択されて、設定ボタン３０の押下に対応してスイッチＳＷ３０により出力された押下信号により当該選択された繰り返し消灯終了時刻が設定されたか否かを判定する（Ｓ４１）。選択された繰り返し消灯終了時刻が設定されたと判定された場合には（Ｓ４１、ＹＥＳ）、端末制御部１５は、表示部１８の設定プログラム表示領域１８ｃに、当該設定された繰り返し消灯終了時刻を表示する。増加ボタン２６又は減少ボタン２７の押下に関して、例えば増加ボタン２６の押下は、図１２Ｃ（ａ）の指操作６に対応する。また、設定ボタン３０の押下は、図１２Ｃ（ｂ）の指操作７に対応する。更に、端末制御部１５は、ステップＳ３９及びステップＳ４１によりそれぞれ設定された動作パラメータに変更して設定プログラム（繰り返し消灯プログラムＰＲｂ）を更新し（Ｓ４５）、図１１のフローチャートは終了する。
【００８５】
ステップＳ３４において繰り返し消灯時間間隔短縮が設定されると判定された場合には（Ｓ３４、ＹＥＳ：繰り返し消灯時間間隔短縮）、端末制御部１５は、当該繰り返し消灯時間間隔の短縮に関するフラグを変更可能状態とする（Ｓ４２）。繰り返し消灯時間間隔短縮の選択及び設定に関する増加ボタン２６、減少ボタン２７及び設定ボタン３０の押下に関して、例えば増加ボタン２６の押下は図１４Ａ（ｂ）の指操作２に対応し、設定ボタン３０の押下は図１４Ａ（ｂ）の指操作３に対応する。端末制御部１５は、増加ボタン２６又は減少ボタン２７の押下に対応してスイッチＳＷ２６又はスイッチＳＷ２７により出力された押下信号により繰り返し消灯時間間隔の短縮に関するフラグが例えば「無効」から「有効」に選択されて、設定ボタン３０の押下に対応してスイッチＳＷ３０により出力された押下信号により当該選択されたフラグが「有効」に設定されたか否かを判定する（Ｓ４３）。当該選択されたフラグが「有効」に設定されたと判定されなかった場合には（Ｓ４３、ＮＯ）、タイマモードＢによる繰り返し消灯プログラムＰＲｂの繰り返し消灯時間間隔の短縮に関するフラグは変更されずに例えばユーザにより閲覧等の目的で確認されたものとして、図１１のフローチャートは終了する。ステップＳ４３において繰り返し消灯時間間隔の短縮に関するフラグが「有効」に設定されたと判定されなかった場合とは、例えば、ユーザがハンドルカバーＨＣ１又は（及び）ハンドルカバーＨＣ２を閉状態にした場合等が該当する。増加ボタン２６及び減少ボタン２７の押下に関して、例えば増加ボタン２６の押下は図１４Ｂ（ａ）の指操作４に対応する。また、設定ボタン３０の押下は、図１４Ｂ（ｂ）の指操作５に対応する。
【００８６】
当該繰り返し消灯時間間隔の短縮に関するフラグが「有効」に設定されたと判定された場合には（Ｓ４３、ＹＥＳ）、端末制御部１５は、ステップＳ３３にて選択されたプログラム番号で識別される繰り返し消灯プログラムＰＲｂの制御対象、繰り返し消灯開始時刻から繰り返し消灯終了時刻まで、制御日及びフラグの各動作パラメータにより実行される消灯プログラムＰＲａの予告消灯時刻を、ステップＳ４３にて選択された繰り返し消灯時間間隔が短縮された消灯時間間隔と整合するように一括して変更する（Ｓ４４）。例えば、図７（ｂ）に示す繰り返し消灯プログラムＰＲｂのプログラム番号２のフラグが「無効」から「有効」に変更された場合、図１３に示すように、端末制御部１５は、当該プログラム番号２の繰り返し消灯プログラムＰＲｂの制御対象（Ｇ１）、繰り返し消灯開始時刻（１８：００）、繰り返し消灯終了時刻（１９：００）、制御日（月火水木金）及びフラグ（有効）の各動作パラメータに実行される消灯プログラムＰＲａ（例えばプログラム番号５のみとする）の予告消灯時刻である「１９：５５」を、当該短縮された消灯の時間間隔と整合するように当該変更後の繰り返し消灯プログラムＰＲｂの繰り返し消灯終了時刻である「１９：３０」の５分前に予告消灯する時刻である「１９：２５」に変更する。端末制御部１５は、ステップＳ４４により変更された変更設定プログラム（繰り返し消灯プログラムＰＲｂ、消灯プログラムＰＲａ）に更新し（Ｓ４５）、図１１のフローチャートは終了する。また、繰り返し消灯時間間隔の短縮に関するフラグが「有効」にされた場合、例えば、「６０」分、「４５」分、「３０」分、「１５」分、「１０」分、「５」分、「５」分，…と５分が継続されるまま繰り返される。但し、短縮された繰り返し消灯時間間隔はこれらの時間間隔に限定されない。
【００８７】
従って、第１の実施形態の照明制御端末１４によれば、オフィス、工場又は店舗等における照明の消灯の徹底を図ると共に、膨大な量の消灯プログラムを個々に作成することなく照明の消費電力量を著しく低減することができる。また、ハンドルカバーＨＣ１及びＨＣ２を共に開状態にした場合には、設定通信器５０を介して照明１〜８の操作パネルＳＷａ又はＳＷｂのうちいずれかの押下に応じて点灯又は消灯する照明の設定を効率的かつ簡易に実行可能とすることができる。
【００８８】
また、設定プログラムは、繰り返して消灯される時刻の前に、一部の照明が予告的に消灯する内容を更に含む。これにより、照明のユーザ等に対して照明の消灯に関する警告又は予告等を与え、徹底的な照明の消灯の運用を促すことができる。
【００８９】
また、設定プログラムにおける所定の設定時間の範囲（繰り返し消灯開始時刻から繰り返し消灯終了時刻まで）は、設定操作部である第１操作ユニット及び第２操作ユニットにより変更可能である。これにより、照明のユーザ等の運用環境等に応じて照明の繰り返し消灯を実現させることができる。
【００９０】
また、設定プログラムにおける照明の消灯時間間隔は、設定操作部である第１操作ユニット及び第２操作ユニットにより短縮するように変更可能である。これにより、照明のユーザ等の運用環境等に応じて照明の繰り返し消灯をより短期間に設定することができ、消費電力量の低減を促すことができる。
【００９１】
また、照明制御端末１４の端末制御部１５は、消灯時間間隔の短縮により、予告消灯する照明の当該予告消灯時刻を、当該短縮後の繰り返し消灯時刻の前に実行されるように変更する。これにより、消灯時間間隔の短縮が設定された場合でも、当該短縮による予告消灯時刻も自動的に変更されるため、当該照明に対する消灯プログラムの煩雑な変更操作をユーザ等に行わせる必要をなくすことができる。
【００９２】
また、照明制御端末１４は、筺体Ｋの前面に、メモリ１６に記憶される設定情報を外部端末である設定通信器５０により受信するための通信部２５を備え、端末制御部１５は、通信部２５により受信された設定情報をメモリ１６に記憶する。従って、通信部２５を設けることにより、第１の実施形態の照明制御端末１４は、数多くの設定情報を新規作成する場合等に、照明制御端末１４の操作ではなく、設定通信器５０の操作により、効率的に設定情報を新規作成してメモリ１６に記憶することができる。
【００９３】
また、第１の実施形態の照明制御システム１００は、照明制御端末１４と、当該照明制御端末１４により出力された制御信号に基づき、当該制御信号に応じて照明１〜８の点灯又は消灯を制御する動作制御部を備える。これにより、複数設けられた操作パネルのいずれかの押下に応じて点灯又は消灯する照明の設定を効率的かつ簡易に実行可能とし、設置領域の省スペース化を実現する照明制御端末１４を備えた照明制御システムを構築することができる。
【００９４】
以上、添付図面を参照しながら各種の実施形態について説明したが、本発明の照明制御端末１４及び照明制御システム１００はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００９５】
なお、前述した照明制御端末１４は、第１操作ユニットのハンドルカバーＨＣ１が閉状態である場合には、スイッチＳＷａ１の押下に応じて、図７により設定されたグループの照明を点灯又は消灯するための制御信号を出力し、同ハンドルカバーＨＣ１が開状態である場合には、現地時刻が図７に示した設定情報の設定時刻に一致した場合に、当該設定情報に対応する制御信号を出力する旨を説明した。しかし、例えば、ハンドルカバーＨＣ１が閉状態である場合に、当該スイッチＳＷａ１が押下されなくても、現在時刻が図７に示した設定情報の設定時刻に一致した場合に、当該設定情報に対応する制御信号を出力しても良い。
【００９６】
なお、前述したハンドルカバーＨＣ１の閉状態を固定するために、ハンドルカバーＨＣ１の後面に係止部ＫＣ１、及び筺体Ｋの前面に被係止部ＨＫＣ１がそれぞれ配置される旨を説明した。例えば、被係止部ＨＫＣ１に永久磁石を用い、係止部ＫＣ１に磁石を用いることにより、ハンドルカバーＨＣ１の閉状態を固定するようにしても良い。また、ハンドルカバーＨＣ２の閉状態を固定するためについても同様に構成しても良い。更に、係止部ＫＣ１（又はＫＣ２）及び被係止部ＨＫＣ１（又はＨＫＣ２）の係合によりハンドルカバーＨＣ１（又はハンドルカバーＨＣ２）の固定状態を担保する代替手段として、ハンドルカバーＨＣ１（又はＨＣ２）の前面の一部領域にタッチパネルを設け、当該タッチパネルが押下された場合に、端末制御部１５が当該ハンドルカバーＨＣ１（又はＨＣ２）を閉状態と判断し、当該ハンドルカバーの閉状態を担保する電子回路（不図示）に当該閉状態を固定するように制御させても良い。
【００９７】
なお、前述した通信部２５は、第２操作ユニットの筺体Ｋの前面に配置されるように説明したが、第１操作ユニットの筺体Ｋの前面に配置されるように構成しても良い。
【００９８】
また、ハンドルカバーＨＣ２が開状態である場合でも、通信部２５は設定通信器５０により赤外線通信等を介して送信された制御信号を受信しても良い。
【００９９】
また、ＬＥＤランプ２３（又は２４）は、照明１〜４（又は５〜８）のいずれかが予告消灯している場合に、当該予告消灯していることを示すために、点滅して報知しても良い。
【０１００】
既にメモリ１６に記憶されている設定プログラム（消灯プログラムＰｒａ，繰り返し消灯プログラムＰｒｂ）の設定内容（動作パラメータ等）が照明制御端末１４により変更されて更新された場合、照明制御端末１４の端末制御部１５は、当該変更により更新された設定プログラムの内容を伝送ユニット９に出力する。これにより、照明制御端末１４に記憶されている設定プログラムと伝送ユニット９に記憶されている設定プログラムとを同期することができる。
【０１０１】
前述した実施形態において、図７（ｂ）に示した繰り返し消灯プログラムＰＲｂでは、制御対象（グループ）の照明が繰り返し消灯開始時刻〜繰り返し消灯終了時刻の間に消灯時間間隔ごとに通常消灯する内容が示されている。この他に、繰り返し予告消灯プログラムとして、制御対象（グループ）の照明が繰り返し消灯開始時刻〜繰り返し消灯終了時刻の間に消灯時間間隔ごとに予告消灯する内容が別途、メモリ１６に記憶されても良い。端末制御部１５は、当該メモリに記憶された繰り返し予告消灯プログラムを参照して、当該繰り返し予告消灯プログラムにより設定された時間の間に消灯時間間隔ごとに予告消灯するようにしても良い。
【０１０２】
また、前述した実施形態の他に、設定プログラム（消灯プログラムＰＲａ、繰り返し消灯プログラムＰＲｂ）の情報セキュリティを担保するために、照明制御端末１４を使用する者ごとに当該設定プログラムを変更可能な権限がそれぞれ付与されるように構成しても良い。例えば、照明制御端末１４を製造販売するメーカには、設定プログラムを作成及び変更可能なメーカモードが付与される。照明制御端末１４をメーカから購買してユーザに販売する電気工事店等の中間業者には、設定プログラムを変更のみ可能な中間業者モードが付与される。更に、照明制御端末１４を実運用として使用するユーザ（例えばオフィス等）には、設定プログラムの有効及び無効を切り替えることのみ可能なユーザモードが付与される。図１５は、ユーザモードが付与された場合のユーザに操作可能な設定プログラムのフラグを選択及び設定する様子を示す説明図である。図１５（ａ）は、モード選択ボタン２８によりタイマモードＡを選択し所望の消灯プログラムを選択する様子を示した画面例である。図１５（ｂ）は、当該選択された消灯プログラムのフラグを設定する様子を示した画面例である。図１５（ａ）に示すように、指操作１に対応してモード選択ボタン２８の押下によりタイマモードＡの状態で増加ボタン２６が押下され、選択されたプログラム番号２の消灯プログラムＰＲａが有効であることが示されている。図１５（ａ）に示すように、指操作２に対応して増加ボタン２６を押下して指操作３に対応して設定ボタン３０が押下されたことにより、図１５（ｂ）に示すように、選択されたプログラム番号２の消灯プログラムＰＲｂが無効になったことが示されている。このように、照明制御端末１４を使用する者ごとに当該設定プログラムを変更可能な権限がそれぞれ付与されることにより、設定プログラムの情報セキュリティをより的確に担保することができる。
【０１０３】
なお、図６に示した端末制御部１５は、設定通信器５０により図７に示した消灯プログラムＰＲａの中で通常消灯するプログラムの新規登録に関する制御信号を受信して当該プログラムを新規登録すると、当該新規登録に伴い、当該新規登録された通常消灯時刻の例えば５分前に当該通常消灯する制御対象の照明のうち一部の制御対象の照明が予告消灯するプログラムを自動的に生成してメモリ１６に記憶しても良い。
【符号の説明】
【０１０４】
１、２、３、４、５、６、７、８  照明
９  伝送ユニット
１０ａ、１０ｂ  Ｔ／Ｕ
１１  リモコントランス
１３  動作制御部
１４  照明制御端末
１５  端末制御部
１６  メモリ
１８  表示部
１８ａ  モード表示領域
１８ｂ  モード選択バー
１８ｃ  設定プログラム表示領域
１８ｄ  プログラム番号表示領域
１８ｅ  設定時刻表示領域
１８ｆ  対象操作パネル表示領域
１８ｇ  設定曜日表示領域
１８ｈ  曜日選択バー
１８ｉ  フラグ表示領域
１９  スイッチ群
２０  入力検出部
２３、２４  ＬＥＤランプ
２３ｇ、２４ｇ、２５ｇ  切欠部
２５  通信部
２６  増加ボタン
２７  減少ボタン
２８  モード選択ボタン
２９  戻るボタン
３０  設定ボタン
５０  設定通信器
１００  照明制御システム
ＡＣ１、ＡＣ２  交流電源
Ｃ３  内部時計
ＨＣ１、ＨＣ２  ハンドルカバー
ＨＫＣ１、ＨＫＣ２  被係止部
Ｊ１、Ｊ２  回動軸
Ｋ  筺体
ＫＣ１、ＫＣ２  係止部
ＮＰａ、ＮＰｂ  ネームプレート部
ＰＲａ  消灯プログラム
ＰＲｂ  繰り返し消灯プログラム
ＳＷａ１、ＳＷｂ１、ＳＷａｋ、ＳＷｂｋ、ＳＷ２６、ＳＷ２７、ＳＷ２８、ＳＷ２９、ＳＷ３０  スイッチ
【図１】
0005590664.tif 000002
【図２】
0005590664.tif 000003
【図３】
0005590664.tif 000004
【図４】
0005590664.tif 000005
【図５】
0005590664.tif 000006
【図６】
0005590664.tif 000007
【図７】
0005590664.tif 000008
【図８】
0005590664.tif 000009
【図９】
0005590664.tif 000010
【図１０Ａ】
0005590664.tif 000011
【図１０Ｂ】
0005590664.tif 000012
【図１０Ｃ】
0005590664.tif 000013
【図１０Ｄ】
0005590664.tif 000014
【図１１】
0005590664.tif 000015
【図１２Ａ】
0005590664.tif 000016
【図１２Ｂ】
0005590664.tif 000017
【図１２Ｃ】
0005590664.tif 000018
【図１３】
0005590664.tif 000019
【図１４Ａ】
0005590664.tif 000020
【図１４Ｂ】
0005590664.tif 000021
【図１５】
0005590664.tif 000022
【図１６】
0005590664.tif 000023
【図１７】
0005590664.tif 000024